(57)【要約】【課題】  予備の二次電池が電話機本体と一体化して取り扱われるようして容量不足等による使用中断といった事態の発生を防止して使い勝手の向上を図る。【解決手段】  筐体４のダイヤルボタン３を配置した第１主面部４ａと対向する第２主面部４ｂにケース組合せ部１４を形成した電話機本体２と、内部に予備二次電池２０を収納する収納空間部４５を構成した収納ケース４０とを備え、ケース組合せ部１４に対して収納ケース４０が着脱自在に組み合わされる。【選択図】  図２
2005318286.tif 000002
【特許請求の範囲】
【請求項１】
筐体のダイヤルボタンを配置した第１主面部と対向する第２主面部に電池ケース組合せ部を形成した電話機本体と、
内部に予備二次電池を収納する収納空間部を構成した電池収納ケースとを備え、
前記電池ケース組合せ部に対して、前記電池収納ケースが着脱自在に組み合わされることを特徴とする携帯電話機。
【請求項２】
前記電池収納ケースに、一端部を前記収納空間部に収納した前記予備二次電池の電極と接続されるとともに他端部が外周側面部に形成した端子開口から外方に臨ませられる充電端子が設けられ、
前記電池収納ケースが前記電話機本体に対して、前記端子開口を形成した前記外周側面部を、二次電池の充電用端子を外方に臨ませる端子開口が設けられた前記筐体の側面部と同側に位置して前記ケース組合せ部に組み付けられることを特徴とする請求項１に記載の携帯電話機。
【請求項３】
前記電話機本体の前記電池ケース組合せ部と前記電池収納ケースとに、これらを組み合わせた状態で相対接続する端子構造が設けられ、
前記電話機本体側の前記二次電池が所定の容量以下となると、前記電話機本体に対して前記電池収納ケースに収納された前記予備二次電池から電源供給が行われることを特徴とする請求項１又は請求項２のいずれか１項に記載の携帯電話機。
【請求項４】
前記電話機本体の前記電池ケース組合せ部と前記電池収納ケースとに、相対係合されるスライドガイド構造が形成され、前記電池ケース組合せ部に対して前記電池収納ケースがスライド自在かつ着脱自在に組み合わされることを特徴とする請求項１乃至請求項３のいずれか１項に記載の携帯電話機。
【請求項５】
前記電話機本体の前記電池ケース組付部と前記電池収納ケースとに、相対係合される回転支持構造が形成され、前記電池ケース組合せ部に対して前記電池収納ケースが回転自在かつ着脱自在に組み合わされることを特徴とする請求項１乃至請求項３のいずれか１項に記載の携帯電話機。
【請求項６】
前記電池収納ケースの収納空間部が、前記予備二次電池を収納する電池収納空間部と、スピーカとマイクロホンと無線送受信回路部とを有して前記電話機本体と無線接続されて通話を行う無線ヘッドセット装置を収納するヘッドセット収納空間部とから構成されることを特徴とする請求項１乃至請求項５のいずれか１項に記載の携帯電話機。
【請求項７】
前記電池収納ケースに、前記ヘッドセット収納空間部内に位置して前記無線ヘッドセット装置の充電端子と接続される充電用端子が設けられ、
前記充電用端子が前記予備二次電池と接続されることによって前記無線ヘッドセット装置の充電が行われることを特徴とする請求項６に記載の携帯電話機。
【発明の詳細な説明】
【技術分野】
【０００１】
本発明は、携帯電話機に関し、さらに詳しくは予備の二次電池を備える携帯電話機に関する。
【背景技術】
【０００２】
携帯電話機は、すさまじいほどの多機能化及び複合化が図られており、通話装置としての機能から情報端末装置として機能の比重が大きくなっている。携帯電話機においては、大容量のメモリや情報コネクタを備えることによって、例えばコンピュータと接続することにより各種の情報等の授受が行われている。携帯電話機においては、例えばインターネット網や音楽配信サービス網等と接続して種々の情報や音楽情報等を入手し、これら情報を液晶表示器に表示したりスピーカによって聴取したりする。携帯電話機においては、例えば搭載したＣＣＤカメラによって撮像した画像情報を待受け画面として液晶表示器に表示したりコンピュータや通話相手に伝送したりすることも一般に行われている。
【０００３】
携帯電話機においては、上述した事情から比較的長時間に亘って使用されることが多くなっており、電池容量が極めて重要になっている。携帯電話機には、一般に電源として繰り返し充電を行うことが可能なリチウムイオン二次電池が用いられており、このリチウムイオン二次電池の高容量化或いは液晶表示器や集積回路素子等の低電力消費化等もあって長時間の使用が可能となっている。
【０００４】
また、携帯電話機においては、付属機器として利用者が把持して耳と口にスピーカ部とマイクロホン部とをあてがった状態で把持することなく、いわゆるハンズフリーの態様によって相手側との通話を行い得るようにするヘッドセット装置を接続可能としたものも提供されている。また、ヘッドセット装置には、スピーカとマイクロホンとを内蔵しているが、無線送受信回路部を有して携帯電話機と無線接続される無線ヘッドセット装置も提供されている。（例えば、特許文献１乃至特許文献３を参照。）。
【０００５】
さらに、携帯電話機においては、例えばＩｒＤＡ（Inffared Data Association）規格に基づく赤外線無線通信方式やブルートゥース（Bluetooth）無線通信方式に基づく近距離無線データ通信技術方式等の機能を備えることにより、パーソナルコンピュータ等と無線による接続を行ってデータ信号等の授受を行うことも可能となっている。携帯電話機においては、付属装置として用いるヘッドセット装置についても、かかるブルートゥース通信方式による無線接続を行うように構成することによって、手持ちすることなく通話を行うことが可能とされる。
【特許文献１】特開平９−９３１５３号公報
【特許文献２】特開２０００−３２４２１８号公報
【特許文献３】特開２００２−１１８６３５号公報
【発明の開示】
【発明が解決しようとする課題】
【０００６】
携帯電話機においては、所有者によって夜間時等において充電操作が行われるがしばしば忘れてしまうことも多く、また長時間の使用によって肝心な時に容量不足となって使用不能の事態が発生することがあった。また、携帯電話機においては、旅行等に際して所有者が持参する充電器によって充電操作が行われるが、充電器の持参を忘れたり充電操作が面倒であったりすることで二次電池の容量不足の事態を生じさせることがある。
【０００７】
携帯電話機においては、例えばショップ等において二次電池の急速充電サービスも行わ
れているが、かかるショップが全ての地域に整備されておらずまた肝心な時にすぐさま対応を図ることができることは無い。携帯電話機においては、予備の電池パックが提供されており、所有者が二次電池の容量不足の事態が生じた際にすばやく交換する対応が図られる。
【０００８】
しかしながら、かかる予備電池パックは、予備の二次電池をケース内に収納することによって比較的大きくかつ重たいために持ち運びが面倒であり、また独立した装置であることから所有者によって常に携帯されることは少ない。携帯電話機においては、所有者がせっかく予備電池パックを携帯していても、放電によって充分な容量が残っていない場合もある。
【０００９】
一方、無線ヘッドセット装置は、ハンズフリーの態様で使用することが可能となることで極めて便利であるが、未使用時に保管するための収納ケースを必要とする。携帯電話機においては、無線ヘッドセット装置を収納ケースに入れたままで置き忘れて外出し肝心なときに使用することができないといったことも多く、収納ケースに入れたままで紛失してしまうことも多いといった問題があった。
【００１０】
したがって、本発明は、予備の二次電池が電話機本体と一体化して取り扱われるようにすることにより容量不足による使用中断といった事態の発生を防止して使い勝手の向上を図った携帯電話機を提供することを目的に提案されたものである。
【課題を解決するための手段】
【００１１】
上述した目的を達成する本発明にかかる携帯電話機は、筐体のダイヤルボタンを配置した第１主面部と対向する第２主面部に電池ケース組合せ部を形成した電話機本体と、内部に予備二次電池を収納する収納空間部を構成した電池収納ケースとを備え、電池ケース組合せ部に対して電池収納ケースが着脱自在に組み合わされる。
【００１２】
携帯電話機においては、予備の二次電池が電池収納ケースを介して電話機本体と一体化して取り扱われることから、邪魔にならずに常時携帯されるようになる。携帯電話機においては、長時間の使用等により電話機本体に内蔵した二次電池が所定の容量以下となる事態が生じた場合に、電話機本体から電池収納ケースが取り外され、この電池収納ケースに収納した予備二次電池が取り出されて交換操作が素早く行われるようにする。
【００１３】
また、携帯電話機は、電池収納ケースに、一端部を収納空間部に収納した予備二次電池の電極と接続されるとともに他端部が外周側面部に形成した端子開口から外方に臨ませられる充電端子が設けられる。携帯電話機は、電池収納ケースが電話機本体に対して、端子開口を形成した外周側面部を、二次電池の充電用端子を外方に臨ませる端子開口が設けられた筐体の側面部と同側に位置して電池ケース組合せ部に組み付けられる。
【００１４】
携帯電話機においては、充電器に装着することによって、この充電器に設けた充電用端子が電話機本体の充電端子と電池収納ケースに設けた充電端子とに同時に接続される。携帯電話機においては、電話機本体に収納した二次電池の充電とともに、電池収納ケースに収納された予備二次電池の充電も同時に行われる。携帯電話機においては、予備二次電池のフル充電状態が保持される。
【００１５】
携帯電話機は、電話機本体の電池ケース組合せ部と電池収納ケースとに、組み合わせ状態において相対接続する端子構造が設けられる。携帯電話機においては、電話機本体側の二次電池が所定の容量以下となった場合に、電話機本体に対して電池収納ケース側の予備二次電池からの電源供給が行われる。携帯電話機においては、電話機本体に装填した二次電池と電池収納ケースに収納した予備二次電池とが電源として使用されることから、実質
的に高容量化が図られるようになる。
【００１６】
携帯電話機は、電話機本体の電池ケース組合せ部と電池収納ケースとに、相対係合されるスライドガイド構造が形成され、電池ケース組合せ部に対して電池収納ケースがスライド自在かつ着脱自在に組み合わされる。また、携帯電話機は、電話機本体の電池ケース組合せ部と電池収納ケースとに、相対係合される回転支持構造が形成され、電池ケース組合せ部に対して電池収納ケースが回転自在かつ着脱自在に組み合わされる。携帯電話機においては、必要に応じて電話機本体から電池収納ケースが素早く取り外される。
【００１７】
携帯電話機は、電池収納ケースの収納空間部が予備二次電池を収納する電池収納空間部と、スピーカとマイクロホンと無線送受信回路部とを有して電話機本体と無線接続されて通話を行う無線ヘッドセット装置を収納するヘッドセット収納空間部とから構成される。携帯電話機においては、ハンズフリー態様での使用を可能とする無線ヘッドセット装置も電話機本体と一体化して取り扱われることから、邪魔にならずに常時携帯されて必要時に素早く使用することが可能である。
【００１８】
携帯電話機は、電池収納ケースのヘッドセット収納空間部内に位置して無線ヘッドセット装置の充電端子と接続される充電用端子が設けられる。携帯電話機においては、充電用端子が予備二次電池と接続されることによってヘッドセット収納空間部内に収納した状態で、予備二次電池を電源として無線ヘッドセット装置の充電を行う。携帯電話機においては、無線ヘッドセット装置が内蔵した二次電池をフル充填状態に保持される。
【発明の効果】
【００１９】
以上のように構成された本発明にかかる携帯電話機によれば、電話機本体に設けた電池ケース組合せ部に対して予備に次電池を収納する電池収納ケースを着脱自在に組み合わせることによって常に一体化した状態で取り扱うようにすることから、長時間の使用や充電操作を忘れたりして電話機本体に装填した二次電池の容量が不足するようなことがあっても、直ちに予備に次電池と交換することが可能となる。携帯電話機によれば、比較的大型で重たくなる予備の電池パックを不要とすることで、これを忘れてしまって肝心な二次電池の容量不足の事態に対して対応不能といった不都合の発生を解消し、また紛失も防止されるようにする。携帯電話機によれば、比較的長時間に亘って重要なデータ通信を行う場合でも、途中中断の事態を発生させることが解消され、使い勝手の向上が図られる。
【発明を実施するための最良の形態】
【００２０】
以下、本発明の実施の形態として示す携帯電話機１について図面を参照して詳細に説明する。携帯電話機１は、図１に示すように、ダイヤルボタン３ａや機能ボタン３ｂ等を第１主面部４ａに配列した第１筐体部４と、第１主面部５ａに液晶表示器６を搭載した第２筐体部５とが相対する一端側に形成したヒンジ部７を介して折り畳み自在に組み合わされたいわゆる折り畳み型の電話機本体２に対して、収納ケース２０が着脱自在に組み合わされて構成される。なお、携帯電話機１は、基本的な機能を従来の携帯電話機と同様としており、電話機本体２に通話機能やデータ送受信機能、ブルートゥース無線通信機能等を搭載した無線送受信回路部或いはカメラ機能等を搭載している。
【００２１】
電話機本体２には、第１筐体部４の第１主面部４ａにヒンジ部７と対向する端部の近傍に位置してマイクロホンを収納したマイクロホン部８が設けられるとともに、第２筐体部５の第１主面部５ａにヒンジ部７と対向する端部の近傍に位置してスピーカを収納したスピーカ部９が設けられている。電話機本体２には、第１筐体部４の第２主面部４ｂに、ヒンジ部７を形成した一端側に位置してアンテナ取付筒部１０ａが形成され、このアンテナ取付筒部１０ａにアンテナ１０ｂが伸縮自在に取り付けられている。
【００２２】
電話機本体２には、詳細を省略するが第１筐体部４の内部に電池装填部が設けられており、この電池装填部に充電可能な二次電池１１が装填される。電話機本体２は、電池装填部が第２主面部４ｂを構成する電池蓋部材１５によって開閉される。電池蓋部材１５は、第１筐体部４に対して適宜の構造によって着脱自在とされるとともにロック構造によって電池装填部を閉塞した状態を保持される。
【００２３】
携帯電話機１は、二次電池１１として、一般に小型で高容量化が図られた例えばスティック型のリチウムイオン二次電池が用いられている。二次電池１１には、詳細を省略するが一端部に一対の電極端子が露出して設けられており、電池蓋部材１５を取り外して開放された電池装填部内に装填されることにより各部に対して電源を供給する。
【００２４】
電話機本体２には、図２に示すように第１筐体部４のヒンジ部７と対向する外周側面部４ｃに蓋体によって覆われた外部接続端子部１２が設けられている。外部接続端子部１２は、詳細を省略するが所定のピン端子構造を有するコネクタが内蔵されており、外部機器と接続されて情報の授受が行われるようにする。
【００２５】
電話機本体２には、外周側面部４ｃに外部接続端子部１２を挟んで形成された端子開口に臨んで一対の充電端子１３ａ、１３ｂが設けられている。電話機本体２には、図２に示すように第１筐体部４の第１主面部４ａと対向する第２主面部４ｂにケース組合せ部１４が一体に形成されており、このケース組合せ部１４に詳細を後述するように予備二次電池２０や無線ヘッドセット装置３０を収納する収納ケース４０を着脱自在に組み付ける。
【００２６】
充電端子１３ａ、１３ｂは、詳細を省略するがそれぞれ端子開口の底部に臨ませて設けられており、第１筐体部４の内部に設けられた図示を省略する充電回路部を介して二次電池１１と接続されている。充電端子１３ａ、１３ｂには、電話機本体２が後述する充電器６０に装着されることによって、この充電器６０側の充電用端子６４、６５がそれぞれ端子開口内に嵌合して接続され、二次電池１１の充電が行われるようにする。
【００２７】
ケース組合せ取付部１４は、図２に示すように第２主面部４ｂを構成する電池蓋部材１５に形成されており、幅方向に対向離間して一体に形成された長さ方向の一対のスライドガイド溝１６ａ、１６ｂと、ヒンジ部７側に形成された係合凹部１７とから構成される。スライドガイド溝１６ａ、１６ｂは、詳細を省略するがそれぞれ断面形状が略Ｌ字状を呈する底付き溝であり、一端側が外周側面部４ｃに開放されて形成されている。
【００２８】
また、ケース組合せ部１４には、外周側面部４ｃ側でスライドガイド溝１６ａ、１６ｂの内側に位置して幅方向に離間して一対の充電用端子１８ａ、１８ｂが設けられている。充電用端子１８ａ、１８ｂは、詳細を省略するがそれぞれ端子開口の底部に臨ませて設けられており、電源回路と接続されている。充電用端子１８ａ、１８ｂは、後述するようにケース組合せ部１４に収納ケース４０が組み合わされた状態において、この収納ケース４０に収納された予備二次電池２０が電話機本体２の電源回路と接続されるようにする。
【００２９】
予備二次電池２０は、電話機本体２に収納された二次電池１１と同一仕様の小型で高容量化が図られたスティック型のリチウムイオン二次電池であり、長手方向の一側部に正極端子２１と負極端子２２とが設けられている。予備二次電池２０は、利用者によってオプション購入される。予備二次電池２０は、予めフル充電の状態とされて収納ケース４０内に収納される。予備二次電池２０は、後述するように電話機本体２が充電器６０に装填されて充電操作が行われることによって同時に充電することも可能である。また、予備二次電池２０は、後述するように収納ケース４０を介して電話機本体２の電源回路部と電気的に接続されており、二次電池１１が所定の容量以下となった場合に電話機本体２の電源回路部に対して電源を供給する。
【００３０】
携帯電話機１においては、使用時には電話機本体２が図１に示すように第１筐体部４と第２筐体部５とがヒンジ部７を介して展開操作される。携帯電話機１においては、未使用時には電話機本体２が図２に示すように第１筐体部４と第２筐体部５とが相対する第１主面部４ａ、５ａを突き合わせるようにヒンジ部７を介して折畳み操作される。携帯電話機１は、上述したように電話回線網と接続して通話機能によって相手側と通話を行うとともに、例えばデータ通信網と接続してデータ送受信機能によって例えばメール通信やデータ通信を行い、また音楽や各種コンテンツの配信サービスを受けたりテレビ放送を受信して番組を視聴することが可能である。携帯電話機１は、ブルートゥース無線通信機能によって例えばコンピュータやオーディオ機器等と接続されることにより、コンピュータやオーディオ機器から出力された画像情報を液晶表示器６の画面で見ながらスピーカ部９から音響情報等の視聴を行うことを可能とする。
【００３１】
ところで、ブルートゥース規格に基づく無線通信方式は、周知のように２．４５ＧＨｚ周波数帯域を利用して１０メートルの通信範囲で最大７２１ｋビット／秒程度のデータ伝送速度によりデータ伝送を行う。ブルートゥース無線通信方式においては、例えばアンテナ素子、ＲＦ回路とベースバンド信号処理回路、フラッシュＥＥＰＲＯＭ（electrically
erasable/programable readonly memory）或いは水晶発振器等を有するブルートゥースモジュールとして一般にチップ部品が提供されており、汎用性が極めて大きい。携帯電話機１においては、このブルートゥースモジュールチップを搭載することによって近距離無線送受信回路部を構成して、同等のブルートゥースモジュールチップを備える上述した各種機器との間において無線によって種々の情報等の授受が行われる。
【００３２】
携帯電話機１においては、詳細を後述する収納ケース４０内に、予備二次電池２０とともにハンズフリー態様で使用することを可能とする無線ヘッドセット装置３０も納され、電話機本体２と一体化して取り扱われるようにする。無線ヘッドセット装置３０は、携帯電話機１のオプション機器として提供され、上述したブルートゥース規格に基づく無線通信方式によって電話機本体２と無線接続されて用いられる。
【００３３】
無線ヘッドセット装置３０は、詳細を省略するが利用者が耳殻に掛け合わせて使用することにより、後述するスピーカ３３が耳と対向されるとともにマイクロホン３８が口元と対向される。無線ヘッドセット装置３０は、携帯電話機１が電話機本体２を把持してマイクロホン部８とスピーカ部９とを耳や口元にあてがうように手持ちせずとも、また液晶表示器６の画面を見ながらでも通信を行うことを可能とする。
【００３４】
また、無線ヘッドセット装置３０は、携帯電話機１が例えば音楽や各種コンテンツの配信サービスを受けたりテレビ放送を受信して番組を視聴したりするために使用される場合に、液晶表示器６の画面を見ながらコンテンツや放送番組の視聴を可能とする。無線ヘッドセット装置３０は、携帯電話機１が例えばコンピュータやオーディオ機器等とブルートゥース無線通信方式によって接続されることにより、コンピュータやオーディオ機器から出力された画像情報を液晶表示器６の画面で見ながらスピーカ部９から放音される音響情報等の視聴を可能とする。
【００３５】
無線ヘッドセット装置３０は、図２及び図４に示すように、一般的な大人の耳の大きさとほぼ等しい外形寸法を有する全体略縦長楕円形状を呈して形成された本体部３１と、この本体部３１から一体に突出形成された弾性アーム部３２とから構成される。無線ヘッドセット装置３０には、本体部３１内に、詳細を省略するがスピーカ３３が内蔵されるとともに、ブルートゥースモジュールチップや制御回路部或いは電源回路部等を搭載した回路基板や内部諸回路等に対して電源を供給する小型の二次電池３４が内蔵されている。二次電池３４は、上述した電話機本体２や予備二次電池２０よりも小型の例えばボタン型電池
が用いられる。
【００３６】
無線ヘッドセット装置３０には、本体部３１の底面部に収納ケース４０に収納された状態で予備二次電池２０によって二次電池３４の充電を行うようにするための充電端子３５ａ、３５ｂが設けられている。無線ヘッドセット装置３０には、本体部３１の外周部にオン・オフの切換を行うスイッチボタンやボリュームボタン等のスイッチボタン３６が設けられている。なお、無線ヘッドセット装置３０は、これら充電端子３５ａ、３５ｂやスイッチボタン３６が本体部３１の外周面と略同一面を構成するようにして設けられており、不用意に操作されないように構成されている。
【００３７】
無線ヘッドセット装置３０には、本体部３１の略頂頭部に位置して取付部３７が一体に突出形成されており、この取付部３７を介して基端部が一体化されることにより本体部３１から弾性アーム部３２が突出形成されている。弾性アーム部３２は、詳細を省略するが例えばエラストマー等の弾性材によって全体略筒状を呈して形成された外筒部と、この外筒部の内部に全長に亘って埋設された多数本のピアノ線等の金属線とから構成される。弾性アーム部３２は、本体部３１の外周部を略半周分取り囲むようにして半円弧状を呈するとともに、中央部からやや先端側の部位が次第に捻られることによって利用者の耳殻に掛け合わされて本体部３１を保持する。
【００３８】
無線ヘッドセット装置３０は、弾性アーム部３２の先端部にマイクロホン３８を収納する。無線ヘッドセット装置３０は、詳細を省略するが弾性アーム部３２内にリード線が導通され、このリード線の一端部がマイクロホン３８と接続されるとともに他端部が本体部３１の回路基板に設けた音響処理回路部と接続される。
【００３９】
以上のように構成された無線ヘッドセット装置３０は、本体部３１が耳孔にあてがわれるとともに、弾性アーム部３２が耳殻に掛け合わされることによって利用者の耳に装着される。無線ヘッドセット装置３０は、本体部３１と弾性アーム部３２とによって耳殻を挟み込むとともに、耳殻に弾性アーム部３２が懸架された状態を呈し、極めて簡易な操作によって装着することが可能である。無線ヘッドセット装置３０においては、装着した状態で弾性アーム部３２の曲がり状態が適宜調整されることにより、先端部に内蔵したマイクロホン３８が利用者の口元と対向位置される。
【００４０】
無線ヘッドセット装置３０においては、携帯電話機１によって相手者との通話が行われる場合にスイッチボタン３６をオン操作することによって、スピーカ３３とマイクロホン３８とにより手持せずともいわゆるハンズフリーの形態で通話を行うことを可能とする。無線ヘッドセット装置３０においては、電話機本体２によって受信した被呼者側の音声がブルートゥース無線通信方式によって無線伝送されて、スピーカ３３から再生される。また、無線ヘッドセット装置３０においては、利用者の音声がブルートゥース無線通信方式によって電話機本体２に無線伝送され、電話機本体２から被呼者へと発信される。
【００４１】
無線ヘッドセット装置３０においては、上述したように本体部３１にスピーカ３３を内蔵するとともに弾性アーム部３２の先端部にマイクロホン３８を内蔵した構造である。無線ヘッドセット装置３０においては、スピーカ３３とマイクロホン３８とが充分な間隔に保持され、通話時にエコーやハウリングの発生が防止されて良好な通話特性を保持して通話が行われるようになる。無線ヘッドセット装置３０においては、スピーカ３３が利用者の耳元に密着するとともに口元に近接してマイクロホン３８が対向配置される。無線ヘッドセット装置３０においては、外部への音漏れが最小限となり秘話性の向上が図られるようになるとともに、例えば騒音雰囲気の中でも明瞭な通話を行うことが可能となる。
【００４２】
なお、無線ヘッドセット装置３０は、上述したように先端部にマイクロホン３８を内蔵
した弾性アーム部３２を耳殻に掛け合わせてスピーカを内蔵した本体部３１を保持するようにしたが、かかる構造に限定されるものでは無いことは勿論である。無線ヘッドセット装置３０は、例えば従来の無線ヘッドセット装置と同様に本体部の内部にスピーカとともにマイクロホンを内蔵して構成するようにしてもよい。無線ヘッドセット装置３０は、充電端子３５ａ、３５ｂを介して収納ケース４０内で予備二次電池２０によって充電されるようにしたが、かかる構成に限定されるものでは無いことは勿論である。
【００４３】
携帯電話機１においては、無線ヘッドセット装置３０を使用しない場合に、予備二次電池２０とともに収納ケース４０に収納するとともに、この収納ケース４０を図２鎖線で示すように電話機本体２の第１筐体部４に形成したケース組合せ部１４に組み合わせることによって一体化して取り扱うことを可能とする。
【００４４】
収納ケース４０は、図３及び図４に示すように第１ケース体４１と第２ケース体４２とを組み合わせた上述したケース組合せ部１４の外形寸法とほぼ同等の外形寸法を有する矩形薄箱体を呈している。なお、収納ケース４０は、上述した矩形薄箱体の形状に限定されるものではなく、携帯電話機１の全体意匠を損なわせない種々の形状に形成してもよいことは勿論である。収納ケース４０は、例えば第１ケース体４１と第２ケース体４２とが薄肉連結部を介して一体化された構造であってもよい。また、収納ケース４０は、収納空間部４５内に予備二次電池２０のみが収納される専用の電池ケースであってもよい。
【００４５】
第１ケース体４１は、図４に示すように底面部４３と、その外周部に全周に亘って一体に立設された外周壁部４４とからなり、内部に収納空間部４５を構成した全体が略矩形浅皿状を呈して形成されている。第１ケース体４１は、外周壁部４４がその高さを予備二次電池２０の厚みや無線ヘッドセット装置３０の本体部３１の厚みよりもやや小さく形成されている。
【００４６】
第１ケース体４１は、収納空間部４５が、幅方向に隣り合う第１収納空間部４５ａと第２収納空間部４５ｂとに区割りされている。第１ケース体４１は、第１収納空間部４５ａ内に予備二次電池２０を収納するとともに第２収納空間部４５ｂ内に無線ヘッドセット装置３０を収納する。第１ケース体４１は、図示を省略するが、第１収納空間部４５ａと第２収納空間部４５ｂの適宜の位置に例えば厚み方向に弾性変位する複数の保持片を一体に突設し、これら保持片によって予備二次電池２０や無線ヘッドセット装置３０の外周部を保持して位置決めした状態で収納する。なお、収納ケース４０は、例えば底面部４３に凹陥部を形成して予備二次電池２０や無線ヘッドセット装置３０を嵌合させて保持する等の適宜の保持構造を形成するようにしてもよい。
【００４７】
第１ケース体４１には、収納ケース４０が電話機本体２のケース組合せ部１４に組み合わされた状態でその外周側面部４ｃ側に位置する外周壁部４４ａに沿って、収納空間部４５に端子ブロック体４６が組み付けられている。端子ブロック体４６は、詳細を省略するが外周壁部４４ａに形成した端子開口を介して外方に臨ませられる一対の第１充電端子４７ａ、４７ｂを有している。また、端子ブロック体４６には、第２ケース体４２側へと突出して電話機本体２側の充電用端子１８ａ、１８ｂと接続される一対の第２充電端子４８ａ、４８ｂが設けられている。
【００４８】
端子ブロック体４６には、第１収納空間部４５ａに突出する一対の接続端子４９ａ、４９ｂが設けられている。接続端子４９ａ、４９ｂには、予備二次電池２０が第１収納空間部４５ａ内に収納されると上述した保持片によって端子ブロック体４６側へと押圧されることにより、その正極端子２１と負極端子２２とが相対接続される。接続端子４９ａ、４９ｂは、端子ブロック体４６内において上述した第１充電端子４７ａ、４７ｂ及び第２充電端子４８ａ、４８ｂとにそれぞれ相対して接続されている。したがって、第１ケース体
４１は、第１収納空間部４５ａ内に収納される予備二次電池２０の正極端子２１と負極端子２２とが、上述した各端子と接続されるようにする。
【００４９】
第１ケース体４１には、図３に示すように底面部４３に第３充電端子５０ａ、５０ｂが設けられている。第３充電端子５０ａ、５０ｂは、無線ヘッドセット装置３０が第２収納空間部４５ｂ内に収納されると、この無線ヘッドセット装置３０に設けられた充電端子３５ａ、３５ｂがそれぞれ相対接続される。第３充電端子５０ａ、５０ｂは、端子ブロック体４６に導かれて上述した第１充電端子４７ａ、４７ｂお第２充電端子４８ａ、４８ｂ或いは接続端子４９ａ、４９ｂとそれぞれ接続されている。したがって、第１ケース体４１は、第２収納空間部４５ｂ内に収納される無線ヘッドセット装置３０を上述した各端子及び予備二次電池２０と接続させる。
【００５０】
第１ケース体４１には、開口部を閉塞するようにして第２ケース体４２が組み合わされる。第２ケース体４２は、図２に示すように天井部５１と、その外周部に全周に亘って一体に立設された外周壁部５２とからなり、内部空間が第１ケース体４１と共同して収納空間部４５の上方部位を構成する全体が略矩形浅皿状を呈して形成されている。第２ケース体４２は、外周壁部５２が収納空間部４５内に予備二次電池２０を収納させるに足る高さ寸法に形成されている。
【００５１】
第２ケース体４２には、天井部５１の主面に、スライドガイド凸部５３ａ、５３ｂが一体に立設されている。スライドガイド凸部５３ａ、５３ｂは、上述した電話機本体２側のスライドガイド溝１６ａ、１６ｂと対応して、天井部５１の主面に幅方向に離間して長さ方向の全域に亘って形成されている。スライドガイド凸部５３ａ、５３ｂは、断面略Ｌ字状に形成されたスライドガイド溝１６ａ、１６ｂに相対嵌合する断面略Ｌ字状の凸部として形成されている。スライドガイド凸部５３ａ、５３ｂは、相対するスライドガイド溝１６ａ、１６ｂの開放端側から嵌合されることによって、収納ケース４０を電話機本体２のケース組合せ部１４に対してスライド自在に組み合わせる。
【００５２】
第２ケース体４２には、長さ方向の一端側の外周壁部５２ａに断面楔状の係合凸部５４が一体に突設されている。係合凸部５４は、収納ケース４０がスライドガイド凸部５３ａ、５３ｂをスライドガイド溝１６ａ、１６ｂに相対係合させてケース組合せ部１４に組み合わせた状態において、係合凹部１７に係合することにより収納ケース３０を保持する。
【００５３】
第２ケース体４２には、天井部５１に、外周壁部５２ａと対向する側に位置して一対の端子開口５５ａ、５５ｂが形成されている。端子開口５５ａ、５５ｂには、第２ケース体４２が第１ケース体４１と組み合わされた状態において、端子ブロック体４６に設けた第２充電端子４８ａ、４８ｂを外方に臨ませる。
【００５４】
携帯電話機１においては、電話機本体２と収納ケース４０とに上述した端子構造を設けることによって、電話機本体２に装填した二次電池１１と収納ケース４０に収納した予備二次電池２０及び無線ヘッドセット装置３０の二次電池３４とが相互に接続されるように構成している。また、携帯電話機１においては、予備二次電池２０を利用して電話機本体２内の二次電池１１や無線ヘッドセット装置３０内の二次電池３４との充電が行われるように構成している。
【００５５】
携帯電話機１においては、例えば端子ブロック体４６に適宜の制御部を設けて上述した二次電池１１、予備二次電池２０、二次電池３４間の接続状態を制御する。携帯電話機１においては、電話機本体２において二次電池１１が所定の容量よりも低下した状態が検出されると、制御部が動作して予備二次電池２０から充電電流が二次電池１１へと供給されるように制御される。
【００５６】
なお、携帯電話機１においては、電話機本体２や収納ケース４０に設けた上述した端子構造に限定されるものでは無く、各端子を最適な位置に適宜の結線構造を以って配置されることは勿論である。携帯電話機１においては、より小型化を図る場合には特に充電構造を設ける必要も無く、それぞれの二次電池に対して充電器によって直接充電操作を行うようにしてもよい。
【００５７】
携帯電話機１においては、第１ケース体４１に対して第２ケース体４２を開放した状態で収納ケース４０の第１収納空間部４５ａ内に予備二次電池２０が収納されるとともに、第１収納空間部４５ｂ内に無線ヘッドセット装置３０がそれぞれ位置決めされて収納される。携帯電話機１においては、第１ケース体４１に対して第２ケース体４２を組み合わせて収納空間部４５を閉塞した状態で、収納ケース４０を電話機本体２のケース組合せ部１４に組み合わせる操作が行われる。
【００５８】
携帯電話機１においては、図２矢印で示すように、収納ケース４０側のスライドガイド凸部５３ａ、５３ｂを電話機本体２側の相対するスライドガイド溝１６ａ、１６ｂの開放端側からそれぞれ嵌合させる。携帯電話機１においては、収納ケース４０がケース組合せ部１４に沿ってスライド操作され、スライドガイド凸部５３ａ、５３ｂの先端がスライドガイド溝１６ａ、１６ｂの端部に突き当たるまで押し込まれることにより、係合凸部５４が係合凹部１７に係合することで電話機本体２に対して収納ケース４０が一体化される。
【００５９】
携帯電話機１においては、収納ケース４０内に予備二次電池２０と無線ヘッドセット装置３０とを収納して電話機本体２と一体化することから、外出等に際して予備二次電池２０と無線ヘッドセット装置３０を忘れて肝心な時に使用することができないといった不都合の発生を解消し、また紛失も防止されるようになる。携帯電話機１においては、電話機本体２に対して収納ケース４０が簡易な操作によって着脱されることで、必要時に予備二次電池２０や無線ヘッドセット装置３０を収納ケース４０からすばやく取り出して使用することが可能である。携帯電話機１においては、用済み後には予備二次電池２０と交換した二次電池１１や無線ヘッドセット装置３０を邪魔にならないように収納ケース４０に収納することで使い勝手の向上が図られ、その紛失が防止される。
【００６０】
なお、携帯電話機１においては、電話機本体２側にスライドガイド溝１６ａ、１６ｂを形成するとともに収納ケース４０側にスライドガイド凸部５３ａ、５３ｂを形成して、電話機本体２に対して収納ケース４０をスライド自在かつ着脱自在に組み合わせるようにしたが、かかるスライドガイド構造に限定されるものでは無いことは勿論である。携帯電話機１においては、例えば電話機本体２側にスライドガイド凸部を形成するとともに収納ケース４０側にスライドガイド溝を形成するようにしてもよい。また、携帯電話機１においては、電話機本体２と収納ケース４０とに相対係合される大きな曲率でかつアンダーカット係合されるようなスライドガイド凸部とスライドガイド凹部とによってスライドガイド構造を構成するようにしてもよい。
【００６１】
携帯電話機１は、図５に示すように充電器６０によって電話機本体２に装填した二次電池１１の充電操作が行われる。充電器６０は、電話機本体２に予備二次電池２０を収納した収納ケース４０が組み合わされている場合に、この予備二次電池２０の充電も同時に行うようにする。すなわち、充電器６０は、筐体６１の一側部に電話機本体２に収納ケース４０を組み合わせた携帯電話機１を装填することが可能な開口寸法を有する装填空間部６２が形成されるとともに、筐体６１から家庭用電源と接続される電源コード６３が引き出されている。
【００６２】
充電器６０は、基本的な構成を従来の一般的な充電器と同等とすることから詳細な説明
を省略するが、筐体６１の内部に引き込まれた電源コード６３と接続されるＡＣ−ＤＣコンバータや制御回路部或いは過充電防止回路等が設けられている。充電器６０には、筐体６１に図示を省略するが、オンオフスイッチや、二次電池１１や予備二次電池２０の充電状態を表示する表示器或いは二次電池１１のみの充電と二次電池１１と予備二次電池２０との同時充電とを切り換えるスイッチ等が設けられている。
【００６３】
充電器６０には、装填空間部６２内の装填された携帯電話機１の側面部が突き当てられる底面部に位置して、それぞれ一対の第１充電端子６４ａ、６４ｂ及び第２充電端子６５ａ、６５ｂが配置されている。充電器６０は、携帯電話機１が装填空間部６２に装填された状態において、第１充電端子６４ａ、６４ｂに対して電話機本体２側の充電端子１３ａ、１３ｂがそれぞれ接合されるとともに、第２充電端子６５ａ、６５ｂに対して収納ケース４０側の第１充電端子４７ａ、４７ｂがそれぞれ接合される。
【００６４】
充電器６０は、切換スイッチが単独充電に設定されることによって、第１充電端子６４ａ、６４ｂを介して電話機本体２に装填された二次電池１１のみを充填する。充電器６０は、切換スイッチが同時充電に設定されることによって、第１充電端子６４ａ、６４ｂを介して二次電池１１を充電するとともに収納ケース４０に収納された予備二次電池２０も同時に充電する。
【００６５】
上述した携帯電話機１は、電話機本体２に対して収納ケース４０をスライド自在かつ着脱自在に組み合わせたが、本発明はかかる組合せ構造に限定されるものでは無い。図６に第２の実施の形態として示した携帯電話機７０は、電話機本体７１に対して収納ケース７２を回転自在かつ着脱自在に組み合わせる構造を備えている。携帯電話機７０は、収納ケース７２の組み合わせ構造を除くその他の構成を上述した携帯電話機１と同様とすることから、対応する部位に同一符号を付すことによって説明を省略する。
【００６６】
携帯電話機７０は、電話機本体７１のケース組合せ部７３に、その一側部側に位置して係合孔７４が形成されるとともに、側縁部に係止凹部７５が形成されている。なお、携帯電話機７０は、これらの係合孔７４や係止凹部７５底付き孔として形成することにより、電話機本体７１の内部に埃等が侵入しないように構成することは勿論である。
【００６７】
収納ケース７２には、底面部に係合孔７４に対向する支点軸部７６と、係止凹部７５に対向する係止凸部７７が一体に形成されている。支点軸部７６は、詳細を省略するが例えば係合孔７４の内径よりもやや大径とされるとともにすり割りを形成して縮径自在に構成される。係止凸部７は、詳細を省略するがその断面寸法が係止凹部７５の開口寸法とほぼ同等に形成されている。
【００６８】
収納ケース７２は、電話機本体７１に対して、支点軸部７６を係合孔７４に対応位置させてケース組合せ部７３に組み合わされる。収納ケース７２は、ケース組合せ部７３に組み合わせた状態で支点軸部７６の部位を強く押し込むことによってこの支点軸部７６が縮径して係合孔７４と嵌合し、電話機本体７１に対して回転自在に組み合わされる。収納ケース７２は、係止凸部７７が相対する係止凹部７５に嵌合されることによって、ケース組合せ部７３にしっかりと組み合わされて電話機本体７１と一体化されて携帯電話機７０を構成する。
【００６９】
携帯電話機７０においては、係止凸部７７を係止孔５５内からやや浮き上がらせるようにして収納ケース７２を側面方向に押すことにより、係合孔７４と嵌合した支点軸部７６を支点として電話機本体７２に対して回転操作させる。携帯電話機７０においては、この回転操作によって、収納ケース７２が収納空間部の開閉操作を可能とされて、内部に収納した予備二次電池２０や無線ヘッドセット装置２０の取り出しが行われる。なお、携帯電
話機７０においては、収納ケース７２を強く引き出すことにより、ケース組合せ部７３からの取り外しが行われる。
【００７０】
なお、上述した実施の形態においては、第１筐体部と第２筐体部とをヒンジ部を介して折り畳み自在に組みあせて電話機本体を構成したが、例えば一体型のいわゆるスティックタイプや回転型の電話機本体であってもよいことは勿論である。
【図面の簡単な説明】
【００７１】
【図１】本発明の実施の形態として示す携帯電話機の使用状態の斜視図である。
【図２】携帯電話機の収納ケースを取り外した状態で背面側から示す斜視図である。
【図３】携帯電話機の一部切欠き底面図である。
【図４】予備二次電池と無線ヘッドセット装置とを収納した収納ケースの第１ケース体の平面図である。
【図５】携帯電話機の充電操作を説明する分解斜視図である。
【図６】第２の実施の形態として示す携帯電話機の収納ケースを取り外した状態で背面側から示す斜視図である。
【符号の説明】
【００７２】
１      携帯電話機
２      電話機本体
４      第１筐体部
５      第２筐体部
７      ヒンジ部
１３    充電端子
１１    二次電池
１４    ケース組合せ部
１５    電池蓋部材
１６    スライドガイド溝
１７    係合凹部
１８    充電用端子
２０    予備二次電池
３０    無線ヘッドセット装置
３１    本体部
３２    弾性アーム部
４０    収納ケース
４５    収納空間部
４６    端子ブロック体
４７    第１充電端子
４８    第２充電端子
４９    接続端子
５０    第３充電端子
５３    スライドガイド凸部
５４    係合凸部
５５    端子開口
６０    充電器
６４    第１充電端子
６５    第２充電端子
７０    携帯電話機
７１    電話機本体
７２    収納ケース
７３    ケース組合せ部
７４    係合孔
７６    支点軸部
【図１】
2005318286.tif 000003
【図２】
2005318286.tif 000004
【図３】
2005318286.tif 000005
【図４】
2005318286.tif 000006
【図５】
2005318286.tif 000007
【図６】
2005318286.tif 000008